(57)【特許請求の範囲】
【請求項１】
建物の室内における天井部の工事に用いられる足場支持台であって、
上部が開口する箱状の支持体本体と、
前記支持体本体を移動可能に支持する車輪とを備え、
前記支持台本体は、その内部に、足場の作業床を構成する床材、工事用の資材、及び工事に用いる道具を収納できるように構成されたことを特徴とする足場支持台。
【請求項２】
建物の室内における天井部の工事に用いられる足場であって、
請求項１に記載の複数の足場支持台と、該複数の足場支持台の上部間に架け渡される床材からなる作業床とを備えていることを特徴とする足場。
【請求項３】
隣接する足場支持台間を連結部材によって連結したことを特徴とする請求項２に記載の足場。
【請求項４】
建物の室内における天井部のリニューアル工事における足場設置方法であって、
請求項１から３の何れか１項に記載の複数の足場支持台の前記支持体本体の内部に天井部の工事に用いる床材、天井部の工事に用いる資材や道具を収納し、
前記複数の足場支持台を前記車輪を介して前記室内の床上を移動させて、前記室内に存在する障害物を囲む４隅に設置し、
複数の床材によって前記障害物の上方を覆うように前記足場支持台の上部間に架け渡すことにより四角形板状の作業床を設置し、
前記作業床を利用した天井部に対する各種の工事が完了した後に、前記作業床を構成する床材を取り外し、
前記支持台本体の内部に前記床材、前記資材の残材、及び前記道具を収納し、
前記複数の足場支持台を車輪を介して前記室内の床上を移動させて工事現場から撤去し室外に搬出させる、
ことを特徴とする足場設置方法。
【発明の詳細な説明】
【技術分野】
【０００１】
本発明は、足場支持台、足場、及びリニューアル工法に関し、特に、建物の室内に設置された机、椅子、事務機器等の障害物を移動させることなく設置し、障害物の上方の天井部に対して行う各種の工事に有効な足場支持台、足場、及び足場設置方法に関する。
【背景技術】
【０００２】
建物の室内の天井部に対して、天井板の張り替え、配管、配線等の交換、増設等の各種の工事を行う場合、室内に設置されている机、椅子、事務機器等の障害物を避けて足場を設置し、この足場を利用することにより、障害物を移動させることなく障害物の上方の天井部に対して各種の工事を行っている。
【０００３】
例えば、障害物の両外側に障害物を避けて一対の脚立を設置し、両脚立の上部間に障害物を跨いだ状態で足場板を架け渡し、障害物の上部を養生シートで覆い、この状態で障害物の上方の天井部に対して各種の工事を行っている。
【０００４】
しかし、上記のような構成の足場にあっては、脚立及び足場板の重量が非常に重いため、作業者が現場に搬入して設置する作業、及び工事の完了後に現場から撤去して搬出する作業に非常に手間がかかる。
【０００５】
足場の他の例が特許文献１、２に記載されている。特許文献１に記載の足場は、移動式の足場であって、鉛直に設けられる４本の支柱と、４本の支柱のうちの隣接する２本の支柱の上端間に水平に取り付けられる上部横材と、上部横材の上部に取り付けられるパイプ材と、パイプ材の上部に掴み金具を介して取り付けられる長方形板状の複数の足場板と、上部横材と各支柱との間に斜めに取り付けられる補強筋交いとを備えている。
【０００６】
また、特許文献２に記載の足場は、移動式の足場であって、折り畳み可能な２枚の作業床と、２枚の作業床を支持する４本の脚部と、各脚部の下端に設けられるキャスターと、各脚部と各作業床との間に斜めに取り付けられる斜杆と、各作業床の２本の脚部間に取り付けられる横杆と、２枚の作業床の２本の脚部間に取り付けられる連結杆とを備えている。
【先行技術文献】
【特許文献】
【０００７】
【特許文献１】実開平７−１９４８８号公報
【特許文献２】実公平７−３５９９８号公報
【発明の概要】
【発明が解決しようとする課題】
【０００８】
特許文献１、２に記載の足場は、移動可能に構成されているので、作業者が工事現場へ搬入して設置する作業、工事の完了後に工事現場から撤去して搬出する作業に手間がかるようなことはない。
【０００９】
しかし、特許文献１に記載の足場は、２本の支柱間に補強筋交いが斜めに取り付けられ、また、特許文献２に記載の足場は、作業床と脚物との間に斜めに斜杆が取り付けられ、２本の脚部間に横杆及び連結杆が水平に取り付けられているため、それらが邪魔になり、室内に設置されている障害物の大きさ、高さによっては設置できないことがある。その場合、障害物を移動させて設置し、工事の完了後に足場を撤去し、障害物を元の位置に戻さなければならず、それらの作業に非常に手間がかかる。
【００１０】
本発明は、上記のような従来の問題に鑑みなされたものであって、室内の工事現場に容易に搬入して設置し、工事の完了後に室内から容易に撤去して搬出することができるとともに、室内に設置されている障害物を移動させることなく室内に設置できる足場支持台、足場、及び足場設置方法を提供することを目的とする。
【課題を解決するための手段】
【００１１】
上記のような課題を解決するために、本発明は、以下のような手段を採用している。
すなわち、本発明は、建物の室内における天井部の工事に用いられる足場支持台であって、上部が開口する箱状をなすとともに、周囲を覆う複数の側板のうちの少なくとも一部の側板が鉛直状態から水平状態に展開可能な支持台本体と、前記側板を水平に展開した状態に支持する支持部材とを備えていることを特徴とする。
【００１２】
本発明の足場支持台によれば、支持台本体は、上部が開口する箱状に形成されているので、工事用の資材や道具等を室内の現場に搬入する場合に、それらを支持台本体の内部に収納した状態で室内の所定の位置に搬入することにより、室内の所定の位置への設置を容易に行うことができる。また、室内に設置した状態で、支持台本体の側板を鉛直状態から水平状態に展開させ、支持部材によって水平に展開した状態に支持することにより、側板を室内の天井部に対する各種の工事の作業床として用いることができる。さらに、室内に設置されている障害物を避けて設置できるので、障害物を移動させることなく、室内の天井部に対して各種の工事を行うことができる。
【００１３】
また、本発明において、前記支持台本体は、上下方向に伸縮可能なフレームと、該フレームの周囲を覆う前記複数の側板と、該フレームの底部を覆う底板とを備え、前記複数の側板が前記フレームの伸縮に追従して上下方向に移動可能に構成されていることとしてもよい。
【００１４】
本発明の足場支持台によれば、支持台本体のフレームを伸縮させることにより、フレームの伸縮に追従して側板を上下方向に移動させることができるので、側板を任意の高さに調整でき、側板からなる作業床を任意の高さに設置できる。
【００１５】
さらに、本発明において、前記フレームは、前記底板に固定される下フレームと、下フレームに上下方向にスライド可能に支持される上フレームとを備え、該上フレームの周囲に前記複数の側板が設けられ、該複数の側板が該上フレームと一体に上下方向に移動可能に構成されていることとしてもよい。
【００１６】
本発明の足場支持台によれば、下フレームに対して上フレームを上下方向にスライドさせることにより、上フレームと一体に複数の側板が上下方向に移動し、複数の側板を上下方向の所定の位置に位置決めすることができる。従って、例えば、室内に設置されている障害物の高さに応じて上フレームを上下方向に移動させることにより、各種の高さの障害物に側板を対応させることができる。
【００１７】
さらに、本発明は、建物の室内における天井部の工事に用いられる足場であって、請求項１から３の何れか１項に記載の複数の足場支持台と、該複数の足場支持台の鉛直状態から水平状態に展開された前記側板の上部間に架け渡される床材からなる作業床とを備えていることを特徴とする。
【００１８】
本発明の足場によれば、複数の足場支持台を室内に設置し、各足場支持台の側板を鉛直状態から水平状態に展開させ、支持部材によって側板を水平に展開した状態に支持し、この状態で、複数の足場支持台の水平に展開させた側板の上部間に床材を架け渡して作業床を構成することにより、作業床を用いて天井部に対して各種の工事を行うことができる。
【００１９】
さらに、本発明において、隣接する足場支持台間を連結部材によって連結したこととしてもよい。
【００２０】
本発明の足場によれば、隣接する足場支持台間を連結部材によって連結しているので、隣接する足場支持台間の間隔を固定することができ、作業床を利用して天井部に対して各種の工事を行う場合に、隣接する足場支持台間の間隔が変化して床材が側板の上部間から外れるのを防止でき、作業の安全性を確保することができる。
【００２１】
さらに、本発明は、建物の室内における天井部のリニューアル工法であって、請求項１から３の何れか１項に記載の足場支持台を室内に設置し、該足場支持台の前記側板を鉛直状態から水平状態に展開させ、該側板を作業床として天井部におけるリニューアル工事を行うことを特徴とする。
【００２２】
さらに、本発明は、建物の室内における天井部のリニューアル工法であって、請求項１から３の何れか１項に記載の複数の足場支持台を室内に設置し、該複数の足場支持台の前記側板を鉛直状態から水平状態に展開させ、該複数の足場支持台の側板の上部間に床材を架け渡し、該床材を作業床として天井部におけるリニューアル工事を行うことを特徴とする。
【発明の効果】
【００２３】
以上、説明したように、本発明の足場支持台、足場、及びリニューアル工法によれば、室内の工事現場に搬入して設置する作業、工事完了後に室内から撤去して搬出する作業を容易に、短時間で、効率よく行うことができる。
【図面の簡単な説明】
【００２４】
【図１】本発明による足場支持台の一実施の形態を示した斜視図である。
【図２】図１の足場支持台の側板を鉛直状態から水平状態に展開した状態を示した説明図である。
【図３】本発明による足場の一実施の形態を示した平面図である。
【図４】図３のＡ矢視図である。
【図５】本発明による足場の他の実施の形態を示した平面図である。
【図６】図５のＢ矢視図である。
【発明を実施するための形態】
【００２５】
以下、図面を参照しながら本発明の実施の形態について説明する。
図１〜図４には、本発明による足場支持台及び足場の一実施の形態が示されている。この足場支持台１及び足場１５は、建物の室内の天井部２０に対して行う各種の工事（例えば、天井板の張替え工事、配管、配線の交換、増設工事等のリニューアル工事）に用いられるものであって、室内の床２１上に設置された机、椅子、各種の事務機器等の障害物２５を移動させることなく、障害物２５の上方の天井部２１に対して各種の工事を行うのに有効なものである。
【００２６】
すなわち、本実施の形態の足場支持台１は、図１及び図２に示すように、上部が開口する四角形箱状の支持台本体２と、支持台本体２を移動可能に支持する４つの車輪１２とを備え、支持台本体２の内部に後述する足場１５の作業床１７を構成する床材１６、天井部２１の工事に用いる各種の資材や道具等が収納されるようになっている。
【００２７】
支持台本体２は、上下方向に伸縮可能なフレーム３と、フレーム３の下面を覆う四角形板状の底板６と、フレーム３の周囲を覆う四角形板状の４枚の側板７とを備え、底板６と４枚の側板７とによって囲まれる内側の部分に上記の床材１６、資材、道具等を収納する上部が開口した直方体状の空間１１が形成され、底板６の底面の四隅に上記の車輪１２がそれぞれ取り付けられている。
【００２８】
車輪１２は、例えば、キャスターであって、この４つの車輪１２によって支持台本体２が室内の床２１上を移動可能に支持され、この４つの車輪１２を介して足場支持台１を室内の床２１上を移動させることにより、足場支持台１を室内の所定の位置に設置することができる。なお、車輪１２は、必要に応じて取り付ければよい。
【００２９】
フレーム３は、底板６に固定される固定フレーム４と、固定フレーム４に上下方向にスライド可能に設けられる可動フレーム５と、可動フレーム５を固定フレーム４にスライド可能に案内する案内部材（図示せず）と、固定フレーム４と可動フレーム５とを連結するねじ、ピン等からなる連結部材（図示せず）とから構成されている。
【００３０】
可動フレーム５を固定フレーム４に沿って上下方向にスライドさせ、任意のスライド位置において、固定フレーム４と可動フレーム５とを連結部材によって連結することにより、フレーム３を任意の高さに設定することができる。
【００３１】
本実施の形態においては、固定フレーム４を、４本の縦材４ａと上横材４ｂと下横材４ｃとを縦横に枠組みして構成し、可動フレーム５を、４本の縦材５ａと上横材５ｂと下横材５ｃとを縦横に枠組して構成し、固定フレーム４の各縦材４ａに可動フレーム５の各縦材５ａを沿わせ、両フレーム４、５の両縦材４ａ、５ａを案内部材によってスライド可能に案内することにより、固定フレーム４に対して可動フレーム５を上下方向にスライド可能に構成している。
【００３２】
可動フレーム５の周囲には、可動フレーム５の各側面５ｄを覆うように上記の４枚の側７板が設けられ、この４枚の側板７が可動フレーム５と一体に上下方向にスライドし、可動フレーム５のスライド位置に位置決めされるようになっている。
【００３３】
各側板７は、下端が可動フレーム５の各下横材５ｃにヒンジ等の連結手段９を介して回動自在に連結され、連結手段９を中心として可動フレーム５の各側面５ｄを覆った鉛直位置と各側面５ｄと直交する水平位置との間を回動可能に構成されている。
【００３４】
各側板７は、可動フレーム５の各側面５ｄを覆った鉛直状態において、上端がねじ、ピン、フック等の連結部材（図示せず）によって可動フレーム５の各上横材５ｂに連結され、これにより、各側板７が可動フレーム５の各側面５ｄを覆った鉛直状態に固定される。また、各側板７は、上端の連結部材による連結状態を解除することにより、下端の連結手段９を中心として図中下方に回動し、各側面５ｄを覆った鉛直状態から各側面５ｄと直交する水平状態に展開される。
【００３５】
各側板７と可動フレーム５の各上横材５ｂとの間には一対の支持部材１０、１０が設けられ、この一対の支持部材１０、１０によって各側板７が水平に展開された状態に支持される。支持部材１０は、例えば、ワイヤ、チェーン等であって、一端が各側板７の裏面の中央部に連結され、他端が各上横材５ｂに連結されている。
【００３６】
上記のように構成した本実施の形態の足場支持台１は、単独で用いてもよいし、後述する足場１５を構成する部材の一部として用いてもよい。
【００３７】
足場支持台１を単独で用いる場合には、足場支持台１の支持台本体２の内部に室内の天井部２０の工事に用いる資材や道具等を収納し、足場支持台１を室内の床２１上を移動させて、室内の障害物２５を避けた障害物２５の外側の所定の位置に設置する。
【００３８】
そして、その位置において、支持台本体２の内部に収納した資材や道具等を取り出し、各側板７の上端の連結部材による連結状態を解除し、各側板７を下端の連結手段９を中心として鉛直状態から水平状態に展開させ、支持部材１０によって水平に展開させた状態に支持する。
【００３９】
これにより、足場支持台１の水平に展開させた側板７を作業床８として利用することができ、作業者が作業床８の上部に乗り、障害物２５の上方の天井部２０に対して各種の工事を行うことができる。
【００４０】
この場合、室内に設置されている障害物２５の高さに応じて、支持台本体２のフレーム３の可動フレーム５を上下方向にスライドさせてフレーム３の高さを調整し、可動フレーム５の各側面５ｄを覆っている４枚の側板７を上下方向の任意の位置に位置決めすることにより、４枚の側板７を水平に展開させた場合に、４枚の側板７を障害物２５の上面よりも上方に位置させることができ、４枚の側板７が障害物２５と干渉するのを避けることができる。
【００４１】
また、必要に応じて底板６の上部に錘（図示せず）を載せておき、水平に展開させた側板７を作業床８として用い、作業床８の上部で作業者が天井部２０に対して各種の作業を行う際に、足場支持台１が作業者等の重みによって浮き上るのを防止するように構成してもよい。
【００４２】
そして、天井部２０に対する各種の工事が完了した後に、各側板７を水平状態から鉛直状態に戻し、可動フレーム５を固定フレーム４に沿って下方にスライドさせてフレーム３を元の高さに戻し、支持台本体２の内部に余った資材等を収納し、支持台本体２を室内の床２１上を移動させることにより、足場支持台１を室内の工事現場から撤去し、室外に搬出させることができる。
【００４３】
上記のように構成した本実施の形態の足場支持台１にあっては、室内の所定の位置に設置する場合に、支持台本体２の内部に天井部２０の工事に用いる資材や道具等を収納し、この状態で室内の床２１上を移動させて所定の位置に設置できるので、室内へ搬入して所定の位置に設置する作業、室内の所定の位置から撤去して室外に搬出する作業を容易に、短時間で、効率よく行うことができる。
また、足場支持台１は、構造が簡単な支持台本体２と車輪１２とによって構成されているので、製作費を安く抑えることができる。
【００４４】
なお、上記の説明においては、フレーム３を、固定フレーム４と可動フレーム５とによって構成し、可動フレーム５を固定フレーム４に沿ってスライド可能に構成することにより、フレーム３を伸縮可能に構成したが、他の方法（シリンダ、ジャッキ等）によってフレーム３を伸縮可能に構成してもよい。
【００４５】
また、上記の説明においては、フレーム３を固定フレーム４と、一つの可動フレーム５とによって構成したが、固定フレーム４と複数の可動フレーム（図示せず）によってフレーム３を構成し、各可動フレームを固定フレーム４に対してスライド可能に構成してもよい。
【００４６】
次に、本実施の形態の足場１５について説明する、本実施の形態の足場１５は、図３及び図４に示すように、障害物２５の外側の四隅に設置される上記の４つの足場支持台１と、隣接する２つの足場支持台１、１の水平に展開させた側板７、７の上部間に障害物２５を跨いだ状態で架け渡される床材１６と、障害物２５の対角線の延長線上に位置する２つの足場支持台１、１のフレーム３、３間を連結するワイヤ、丸棒、板材等からなる連結部１８とから構成されている。
【００４７】
また、本実施の形態においては、室内の床２１上に４組の机、椅子からなる平面視四角形状の障害物２５が左右に間隔をおいて２箇所に設置され、各障害物２５ａ、２５ｂの外側の四隅に各障害物２５ａ、２５ｂを囲むように４つの足場支持台１が設置され、図中上側の左右の２つの足場支持台１ａ、１ｂの側板７ａ、７ｂの上部と下側の左右の２つの足場支持台１ａ、１ｂの側板７ａ、７ｂの上部との間に複数の床材１６からなる作業床１７が架け渡されている。この場合、一方の障害物２５ａの図中右側の２つの足場支持台１ａ、１ｂは他方の障害物２５ｂの図中左側の２つの足場支持台１ａ、１ｂを兼ね備えている。
【００４８】
そして、上記のような構成の足場１を室内の所定の位置に設置するには、まず、各足場支持台１の支持台本体２の内部に、床材１６、天井部の工事に用いる資材や道具等を収納し、各足場支持台１を車輪１２を介して室内の床２１上を移動させて、各障害物２５ａ、２５ｂの外側の四隅に各障害物２５ａ、２５ｂを囲むように設置し、各障害物２５ａ、２５ｂの対角線の延長線上に位置する２つの足場支持台１ａ、１ｂのフレーム３、３間をワイヤ、丸棒等からなる連結部材１８によって連結し、隣接する２つの足場支持台１ａ、１ｂの間隔を所定の寸法に固定する。
【００４９】
この場合、各障害物２５ａ、２５ｂの高さに応じて、各足場支持台１のフレーム３の可動フレーム５を上方向にスライドさせ、フレーム３を上方向に伸長させることにより、各足場支持台１の４枚の側板７を上方向の所定の位置に位置決めし、その位置において、固定フレーム４と可動フレーム５とを連結部材によって連結する。
【００５０】
そして、各足場支持台１の４枚の側板７のうち、各障害物の２５ａ、２５ｂ四隅の沿う２枚の側板７の上端の連結部材による連結状態を解除し、２枚の側板７を鉛直状態から水平状態に展開させ、支持部材１０によって水平に展開した状態に支持し、２枚の側板７を各障害物の２５ａ、２５ｂ上面よりも上方に配置する。
【００５１】
次に、各障害物２５ａ、２５ｂの図中上下に配置した両側板７ａ、７ｂの上部間に、長方形板状の複数の床材１６を隣接する床材１６間に隙間が形成されないように各障害物２５ａ、２５ｂを跨いだ状態で架け渡し、複数の床材１６によって各障害物２５ａ、２５ｂの上方を覆う四角形板状の作業床１７を構成する。
【００５２】
ここで、床材１６は、例えば、プラスチック、紙、木、金属等から形成される板状をなすものであって、本実施の形態においては、ハニカム構造の段ボールによって構成している。
【００５３】
各床材１６は、その上部に載せられる天井部２０の工事に用いられる資材や道具、及びその上部に乗って作業を行う作業者の重量等を受けても、湾曲して両側板７、７の上部間から脱落したり、破損等することがないように、所定の強度に設定されている。
【００５４】
各床材１６は、図中上下の側板７ａ、７ｂの上部間に架け渡したままの状態としてもよいし、隣接する床材１６、１６間を粘着テープ等で分離可能に接合してもよいし、各床材１６の両端を粘着テープ等で両側板７ａ、７ｂに分離可能に接合してもよい。
【００５５】
そして、上記のように設置した本実施の形態の足場１５の作業床１７を利用することにより、各障害物２５ａ、２５ｂの上方の天井部２０に対して各種の工事を行うことができる。そして、天井部２０に対する各種の工事が完了した後に、作業床１７を構成する床材１６を取り外し、２つの足場支持台１ａ、１ｂのフレーム３、３間を連結している連結部材１８を取り外し、各足場支持台１の各側板７を水平状態から鉛直状態に戻し、各足場支持台１の支持台本体２のフレーム３の可動フレーム５を下方にスライドさせてフレーム３を元の高さに戻し、支持台本体２の内部に床材１６、残材、道具等を収納し、各足場支持台１を床上を移動させて工事現場から撤去し、室外に搬出させる。
【００５６】
上記のように構成した本実施の形態の足場１５にあっては、足場支持台１を室内の床２１上を移動可能に構成するとともに、足場支持台１の支持台本体２の内部に、足場１５の作業床を構成する床材１６、工事用の資材や道具等を収納するように構成したので、室内の工事現場に設置する場合に、作業者が容易に、短時間で、効率よく設置することができる。
【００５７】
また、各足場支持台１の各側板７は、水平状態に展開した状態に上方から支持部材１０によって支持されているので、各側板７の下方の各障害物２５ａ、２５ａと各側板７を支持する支持部材１０とが干渉するようなことはなく、各障害物２５ａ、２５ｂを移動させることなく、足場１５を設置することができる。
【００５８】
図２には、本発明による足場１５の他の実施の形態が示されている。この足場１５は、各障害物２５ａ、２５ｂの外側に四隅に設置される４つの足場支持台１のうち、一方の障害物２５ａの図中左側の上下の２つの足場支持台１ａ、１ａ、及び他方の障害物２５ｂの図中右側の上下の２つの足場支持台１ａ、１ａを上記の実施の形態の足場支持台１によって構成し、一方の障害物２５ａの図中右側の上下の２つの足場支持台１ｃ、１ｃ（他方の障害物２５ｂの図中左側の上下の２つの足場支持台１ｃ、１ｃを、可動フレーム５の各側面５ｄを覆う各側板７を、その上端を可動フレーム５の各上横材５ｂに連結手段９を介して回動自在に連結し、各側板７を図中上方に回動させるように構成したものであって、その他の構成は前記実施の形態に示すものと同様である。
【００５９】
そして、この場合にも、各側板７は、各側板７の表面（上面）と可動フレーム５の各上横材５ｂとの間に設けられる支持部材（図示せず）により、上方から水平に展開された状態に支持されるようになっている。
【００６０】
本実施の形態の足場１５は、例えば、一方の障害物２５ａの外側の四隅のうち、図中左側の上下に上記の実施の形態の足場支持台１ａ、１ａを設置し、図中右側の上下に本実施の形態の足場支持台１ｃ、１ｃを設置し、他方の障害物２５ｂの外側の四隅のうち、図中右側の上下に上記の実施の形態の足場支持台１ａ、１ａを設置し、図中左側の上下に本実施の形態の足場支持台１ｃ、１ｃを設置する。
【００６１】
そして、一方の障害物２５ａの外側に設置した４つの足場支持台１のうち、上下の左右の足場支持台１ａ、１ｃの側板７ａ、７ｃの先端部同士を所定の長さ重合させ、他方の障害物２５ｂの外側に設置した４つの足場支持台１のうち、上下の左右の足場支持台１ａ、１ｃの側板７ａ、７ｃの先端部同士を所定の長さ重合させる。
【００６２】
そして、先端部同士を重合させた図中上下の側板７ａ、７ａの上部間、側板７ｃ、７ｃの上部間にそれぞれ各障害物２５ａ、２５ｂを跨いだ状態で複数の床材１６を架け渡し、各障害物２５ａ、２５ｂの上方を覆う複数の床材１６からなる四角形板状の作業床１７を構成し、この作業床１７を利用して障害物の２５ａ、２５ｂ上方の天井部２０に対して各種の工事を行う。
【００６３】
そして、本実施の形態の足場１５にあっても、前記実施の形態の足場１５と同様の作用効果を奏する。
【００６４】
なお、前記の説明においては、障害物２５の外側の四隅に４つの足場支持台１を設置し、隣接する２つの足場支持台１、１の側板７、７の上部間に床材１６を架け渡して作業床１７を構成したが、これに限らず、障害物２５の形状によっては、障害物２５の外側に５つ以上の足場支持台１、３つ以下の足場支持台１を設置し、隣接する２つの足場支持台１、１の側板７、７の上部間に床材１６を架け渡して作業床１７を構成するようにしてもよい。
【００６５】
また、前記の説明においては、足場支持台１を四角形箱状に形成したが、三角形箱状、五角形箱状、六角形箱状、八角形箱状等の多角形箱状に形成し、各側面にそれぞれ側板７を展開可能に設けてもよい。
【符号の説明】
【００６６】
１  足場足持台
１ａ  足場支持台
１ｂ  足場支持台
２  支持台本体
３  フレーム
４  固定フレーム
４ａ  縦材
４ｂ  上横材
４ｃ  下横材
５  可動フレーム
５ａ  縦材
５ｂ  上横材
５ｃ  下横材
５ｄ  側面
６  底板
７  側板
８  作業床
９  連結手段
１０  支持部材
１１  空間
１２  車輪
１５  足場
１６  床材
１７  作業床
１８  連結部材
２０  天井部
２１  床
２５  障害物
【図１】
0005407726.tif 000002
【図２】
0005407726.tif 000003
【図３】
0005407726.tif 000004
【図４】
0005407726.tif 000005
【図５】
0005407726.tif 000006
【図６】
0005407726.tif 000007